(57)【特許請求の範囲】
【請求項１】
本体基部とこの本体基部の前面を覆う前カバーとを有するカメラ本体と、不使用時にカメラ本体内に沈胴され、使用時にカメラ本体の前面から繰り出されるレンズ鏡筒と、不使用時にカメラ本体内に収納される収納位置と、使用時にカメラ本体外に露呈される露呈位置との間で移動自在とされたストロボ発光部とを備えたカメラにおいて、
前記前カバーにストロボ発光部を取り付け、前記本体基部にレンズ鏡筒の沈胴と繰り出しとの動作に連動してストロボ発光部を収納位置と露呈位置との間で移動させる連動機構を取り付け、前カバーを本体基部に取り付ける際に、ストロボ発光部と連動機構とが連結されるようにしたことを特徴とするカメラ。
【請求項２】
前記連動機構は、ストロボ発光部を露呈位置に向けて付勢する露呈用バネを備え、レンズ鏡筒の沈胴動作時には露呈用バネの付勢に抗してストロボ発光部を収納位置に移動させ、レンズ鏡筒の繰り出し動作時には、該露呈用バネの付勢力によりストロボ発光部を露呈位置に移動させることを特徴とする請求項１記載のカメラ。
【請求項３】
前記収納位置にあるストロボ発光部をレンズ鏡筒の繰り出し動作を利用せずに露呈位置に移動させた際に、該ストロボ発光部を収納位置に向けて付勢する収納用バネをストロボ発光部に設けたことを特徴とする請求項１または２記載のカメラ。
【請求項４】
前記ストロボ発光部が収納位置付近にあることを検出する検出スイッチを設け、この検出スイッチによりストロボ発光の禁止を行うことを特徴とする請求項１ないし３いずれか記載のカメラ。
【請求項５】
前記ストロボ発光の禁止は、検出スイッチが導通している際に行うことを特徴とする請求項１ないし４いずれか記載のカメラ。
【発明の詳細な説明】
【０００１】
【発明の属する技術分野】
本発明は、カメラに関し、更に詳しくは、ポップアップ式のストロボ発光部を備えたカメラの改良に関するものである。
【０００２】
【従来の技術】
手軽に夜間撮影や逆光撮影が行えるように、ストロボ装置が内蔵されているコンパクトカメラが普及している。このようなストロボ内蔵型のカメラを用いてポートレート撮影を行うと、いわゆる赤目現象が生じることが知られている。この赤目現象は、目の網膜がストロボ光を反射させる時に赤色光を発することに起因する現象で、撮影レンズに入射する被写体光の光軸と、ストロボ光の光軸とが近接しすぎるときに顕著に現れる。このため、ストロボ発光部は、撮影レンズの光軸からできるだけ離れた位置に配置するのが好ましい。
【０００３】
上記赤目現象を軽減するために、ポップアップ式のストロボ装置を備えるカメラが知られている。このカメラは、カメラ本体内に収納される収納位置と、カメラ本体から露呈される露呈位置との間でストロボ発光部を移動自在とし、ストロボ撮影時にのみストロボ光の光軸と被写体光の光軸とを離すことにより、赤目現象の発生を防止するものである。従来のカメラでは、ストロボ発光部をポップアップさせる機構の駆動源として、レンズ鏡筒を駆動するギヤトレインの途中から分岐したギヤの回転を利用していた。また、特開平７−１９９２９５号公報に記載されているように、レンズ鏡筒の沈胴，繰り出し動作に連動して動作するファインダレンズの移動を利用してストロボ発光部をポップアップさせるカメラが発明されている。
【０００４】
上記従来のカメラには、ストロボ発光部を収納位置と露呈位置とにそれぞれ付勢するバネが組み込まれている。これらのバネは、露呈位置にあるストロボ発光部を手で無理に収納位置に移動させたり、収納位置にあるストロボ発光部を無理に露呈位置に移動させた場合に、ストロボ発光部をバネの付勢力によって元の位置に復帰させる。
【０００５】
また、ポップアップ式のストロボ装置を備えるカメラの中には、ストロボ発光部が露呈位置にあることを検出する検出スイッチを設け、この検出スイッチがストロボ発光部を検出している時のみストロボ発光を許容するようにしたものがある。
【０００６】
【発明が解決しようとする課題】
ポップアップ式のストロボ発光部を備えたカメラには、ストロボ発光部を露呈位置と収納位置との間で移動させる操作部材が必要となる。しかしながら、撮影のたびにストロボ発光部の移動を行うのは非常に面倒なものであり、ストロボ発光部を露呈させたままカメラの電源をオフしてしまい、カメラ本体から突出されたストロボ発光部が破損してしまうことがあった。また、ギヤの駆動を用いたストロボ発光部の移動は、部品点数が増加して機構が複雑になってしまい、組立適性の悪化や故障等の問題を発生させていた。
【０００７】
更に、特開平７−１９９２９５号記載のカメラでは、ストロボ発光部を露呈位置と収納位置とに付勢する２種類のバネの付勢力のバランスをとらなくてはならないため、高い部品精度が必要となり、組み立てが非常に難しくなる。また、レンズ鏡筒の動作をファインダレンズを介してストロボ発光部に伝達しているため、関連部品の増大によって故障や誤動作の発生率も高くなり、組立適正も悪化するという問題がある。
【０００８】
また、ストロボ発光部が露呈位置にある時のみストロボ発光を許容するカメラでは、検出スイッチが導通不良を起こした場合にストロボ発光が行われず光量不足となり、ストロボ内蔵カメラとしての基本的な撮影機能を果たせなくなるという問題があった。
【０００９】
本発明は、上記問題点を解決するためのもので、ローコストで動作信頼性の高いポップアップ式のストロボ発光部を備えたカメラを提供することを目的とする。
【００１０】
【課題を解決するための手段】
上記問題点を解決するために、本発明のカメラは、レンズ鏡筒の沈胴と繰り出しとの動作に連動して、ストロボ発光部を収納位置と露呈位置との間で移動させる連動機構を設けるとともに、本体基部に連動機構を取り付け、前カバーにストロボ発光部を取り付け、前カバーを本体基部に取り付ける際にストロボ発光部と連動機構とが連結されるようにして組立適性を向上させたものである。
【００１１】
更に、ストロボ発光部を露呈位置に向けて付勢する露呈用バネを連動機構に設け、レンズ鏡筒の沈胴動作時には露呈用バネの付勢に抗してストロボ発光部を収納位置に移動させ、レンズ鏡筒の繰り出し動作時には、露呈用バネの付勢力によってストロボ発光部を露呈位置に移動させるようにしたものである。更に、収納位置にあるストロボ発光部を手で無理に引っ張って露呈位置に移動させた場合等に、ストロボ発光部を収納位置に復帰させるための収納用バネをストロボ発光部に設けたものである。
【００１２】
また、ストロボ発光部が収納位置付近にあることを検出する検出スイッチを設け、この検出スイッチによりストロボ発光の禁止を行うようにしたものである。更に、ストロボ発光の禁止は、検出スイッチが導通している際に行うようにしたものである。
【００１３】
【発明の実施の形態】
図２及び図３は、本発明のカメラの不使用時及び使用時の状態を示す外観斜視図である。カメラ２は、各種撮影機構が組み込まれた略矩形形状のカメラ本体３と、このカメラ本体３に組み込まれた各種撮影機構とから構成されている。カメラ本体３は、カメラ本体３のフレームとなる本体基部４（図１参照）と、この本体基部４の前面と背面とに被せられる前カバー５と後カバー６とからなる。
【００１４】
カメラ本体３の前面には、ズーム光学系を構成する撮影レンズ８を保持するレンズ鏡筒９，電源スイッチ１０，対物側ファインダ窓１１等が設けられている。レンズ鏡筒９は、電源スイッチ１０がオンされるとカメラ本体３の前面に突出され、電源スイッチ１０がオフされるとカメラ本体３内に沈胴される。また、詳しくは図示しないが、カメラ本体３の背面には、ズーム倍率や撮影モード，撮影サイズ等を切り換える各種操作スイッチや、各種情報を表示する液晶パネル，接眼側ファインダ窓等が設けられている。
【００１５】
カメラ本体３の上面には、シャッタボタン１３とストロボ発光部１４とが設けられている。ストロボ発光部１４は、発光面であるストロボ用レンズ（フレネルレンズ）１５をカメラ本体３内に形成された発光部室１６内に収納する収納位置と、ストロボ用レンズ１５がカメラ本体３から露呈されてカメラ本体３の前面と平行となる露呈位置との間で回動自在とされている。このストロボ発光部１４は、レンズ鏡筒９の沈胴と繰り出し動作とに連動して収納位置と露呈位置との間で回動される。これにより、不使用時にはカメラ２を小型化し、使用時には赤目現象の発生を防止することができる。
【００１６】
対物側ファインダ窓１１の周囲には、測距センサ，測光センサが組み込まれており、シャッタボタン１３の半押し操作で被写体までの距離と、被写体の輝度とが測定され、撮影レンズ８がピント位置に移動する。シャッタボタン１３が深く押し込まれると、レンズ鏡筒９に組み込まれたシャッタ機構により適正な絞りとシャッタ速度とでシャッタレリーズが行われる。また、カメラ２に組み込まれているストロボ装置はオートストロボであるため、被写体の輝度が低い場合には自動的にストロボ発光部１４から被写体に向けてストロボ光が照射される。
【００１７】
図１に示すように、本体基部４には、レンズ鏡筒９が組み込まれる固定筒１８と、ＩＸ２４０タイプのフイルムカートリッジが装填されるカートリッジ室１９と、フイルムカートリッジから引き出された写真フイルムを巻き取るフイルム巻き取り室２０とが一体に形成されている。カートリッジ室１９とフイルム巻き取り室２０とは、固定筒１８を挟むように配置されている。
【００１８】
レンズ鏡筒９の背面には、レンズ鏡筒９がカメラ本体３から繰り出される際に、レンズ鏡筒９の回転を防止する円形の直進ガイド板２２が取り付けられている。この直進ガイド板２２には、固定筒１８の内壁面に形成された溝２３に係合する一対の突起片２４が形成されており、この突起片２４と溝２３との係合によりレンズ鏡筒９の回転が防止される。直進ガイド板２２の中央部分には、レンズ鏡筒９を通過した被写体光を写真フイルムまで通過させる矩形形状の開口２５が形成されている。レンズ鏡筒９と直進ガイド板２２とは、本体基部４の背面側から固定筒１８内に挿入され、周知の鏡筒移動機構により、カメラ本体３から繰り出され、カメラ本体３内に沈胴される。
【００１９】
フイルム巻き取り室２０の上部には、レンズ鏡筒９の沈胴及び繰り出し動作に連動して、ストロボ発光部１４を収納位置と露呈位置との間で回動させる連動機構２７が取り付けられる。この連動機構２７は、図４〜図７に示すように、フイルム巻き取り室２０の上部にネジによって取り付けられるベース部材２８と、カメラ本体３の前後方向に向かってスライド自在となるようにベース部材２８に取り付けられる連動部材２９と、この連動部材２９をカメラ本体３の前面側に向かって付勢する露呈バネであるコイルバネ３０とからなる。また、ベース部材２８には、上方に向かって２本のボス３１ａ，３１ｂが立設されており、これらのボス３１ａ，３１ｂの先端には、ストロボ回路が形成された回路基板３２が取り付けられる。
【００２０】
ベース部材２８は、フイルム巻き取り室２０の上面にネジ止めされるベース板３４と、このベース板３４の一方の端縁に垂直に立設されて連動部材２９を保持する保持板３５とからなる。保持板３５には、連動部材２９に摺接するレール部３６ａ，３６ｂと、このレール部３６ａ，３６ｂから突設された保持突起３７ａ，３７ｂとが一体に形成されている。レール部３６ａ，３６ｂは、ベース部材２８と連動部材２９との摺接面積を少なくして、連動部材２９のスライドが円滑に行えるようにする。保持突起３７ａ，３７ｂはカギ形状にされており、連動部材２９に形成されたスリット３８ａ，３８ｂにそれぞれ係合し、連動部材２９がカメラ本体３の前後方向にスライドできるように保持する。連動部材２９のスリット３８ａ，３８ｂは、連動部材２９がベース板２８に取り付けられる際に、保持突起３７ａ，３７ｂが挿入可能な形状とされている。
【００２１】
保持板３５のカメラ本体３の前面側の端縁と、連動部材２９のカメラ本体３の背面側の端縁とには、コイルバネ３０が掛けられるバネ掛け突起４０，４１がそれぞれ形成されている。これにより、連動部材２９は、カメラ本体３の前面側に向かって付勢される。なお、連動部材２９には、連動機構２７を小型化するために、コイルバネ３０が収められる凹部４２が形成されている。
【００２２】
連動部材２９の下部には、本体基部４の固定筒１８に形成されたスリット４４に挿入される係合ピン４５が一体に形成されている。この係合ピン４５は、固定筒１８内において、直進ガイド板２２の外周部に形成された係合片４６の背面に当接する。直進ガイド板２２は、レンズ鏡筒９がカメラ本体３内に沈胴されている際には、係合ピン４５をカメラ本体３の背面側に向けて押圧する。これにより、連動部材２９は、図６に示すように、コイルバネ３０の付勢に抗してカメラ本体３の背面側にスライドされる。また、レンズ鏡筒９がカメラ本体３から繰り出されている際には、直進ガイド板２２の係合片４６による係合ピン４５の押圧が解除される。これにより、連動部材２９は、図７に示すように、コイルバネ３０の付勢によってカメラ本体３の前面側に向かってスライドされる。
【００２３】
なお、スリット４４は、係合ピン４５の移動に必要な最小限の大きさとしており、また、連動部材２９の座部２９ａが連動部材２９の移動範囲全域ににわたってスリット４４を覆う遮光部材として機能するため、外光やストロボ光等がスリット４４から固定筒１８内に入り込んで写真フイルムに悪影響を及ぼすようなことはない。
【００２４】
ストロボ回路が形成された回路基板３２には、検出スイッチであるストロボ発光禁止スイッチ４８が下方に向かって突出されるように取り付けられている。ストロボ発光禁止スイッチ４８は、弾性自在とされた一対の金属接片４８ａ，４８ｂからなるＮｏｒｍａｌｌｙ  Ｏｐｅｎ（ＮＯ）タイプのスイッチであり、金属接片４８ａ，４８ｂが互いに接触されている際にオン（導通）してストロボ回路を開放し、ストロボ発光部１４のストロボ発光を禁止する。
【００２５】
連動部材２９の保持板３５に対面する側の面には、ストロボ発光禁止スイッチ４８のオン／オフの切り替えを行う切替え突起４９が一体に形成されている。この切替え突起４９は、保持板３５に形成されたスリット５０に挿入されてベース板３４上に突出される。切替え突起４９は、連動部材２９がカメラ本体３の背面側にスライドされている際に一方の金属接片４８ａを押圧し、他方の金属接片４８ｂに接触させてストロボ発光禁止スイッチ４８をオンさせる。一方の金属接片４８ａには、切替え突起４９による押圧を確実なものとするために、金属接片４８ａよりも幅の広い被押圧片５２が取り付けられている。
【００２６】
このように、ストロボ発光部１４が収納位置にある際には、ストロボ発光禁止スイッチ４８がオンしてストロボ発光を禁止するようにしたので、ストロボ発光禁止スイッチ４８が何らかの問題により導通しなくなっても、ストロボ発光が必要な撮影時にストロボ発光が行われないという問題は発生しない。
【００２７】
ストロボ発光部１４は、前カバー５に一体に形成された発光部室１６に、回動軸５４を介して回動自在に取り付けられる。この発光部室１６内の底面には、本体基部４に取り付けられた連動機構２７とストロボ発光部１４との連結を行うための開口５５が形成されている。また、発光部室１６内でカメラ本体３の前面側の底面には、ストロボ発光部１４が収納位置に回動された際にストロボ用レンズ１５を覆う箱形状の遮蔽部５６が形成されている。この遮蔽部５６は、ストロボ発光禁止スイッチ４８等の故障によって、ストロボ発光部１４が収納位置にある状態でストロボ発光を行っても、ストロボ光がカメラ本体３内に進入するのを防止する。
【００２８】
図８に分解して示すように、ストロボ発光部１４は、内部に放電管５８やリフレクタ５９等が組み込まれた発光部本体６０と、この発光部本体６０が取り付けられる外装カバー６１と、発光部室１６と外装カバー６１とにそれぞれ形成された軸受け穴６２，６３に挿通されて外装カバー６１を回動自在に支持する回動軸５４と、この回動軸５４に回動自在に取り付けられる連動レバー６５と、収納用バネである捩じりバネ６６とから構成されている。
【００２９】
発光部本体６０は、遮光性を有するプラスチックで一体に形成されており、前面側に設けられた開口６８からリフレクタ５９と放電管５８とが組み込まれ、この開口６８はストロボ用レンズ１５で塞がれる。この発光部本体６０は、外装ケース６１の内側にネジ止めされる。従来の発光部本体６０は、リフレクタ５９や放電管５８を保持する保持部材と、この保持部材の上方と下方とを覆う遮光性を有するカバーとから構成されていたが、本実施形態では発光部本体６０を一体に形成したので、部品点数を少なくしてローコスト化と組立適性の向上とを行うことができる。
【００３０】
連動レバー６５は、連動部材２９の上部に形成された二股形状の連結部７０に係合する連結ピン７１と、捩じりバネ６６の一端が掛けられるバネ掛け部７２と、外装ケース６１の内壁面に形成された当接片７３に当接する当接突起７４とが一体に形成されている。図６に示すように、捩じりバネ６６の他端は外装ケース６１の内壁面に掛けられており、連動レバー６５は、捩じりバネ６６によって図中時計方向に付勢されている。捩じりバネ６６によって付勢された連動レバー６５は、当接突起７４が外装ケース６１の当接片７３に常に当接されている状態となる。
【００３１】
連動レバー６５は、連結ピン７１が連動部材２９の連結部７０に係合されるため、図６に示すように、連動部材２９が直進ガイド板２２に押圧されてカメラ本体３の背面側にスライドされている際には、捩じりバネ６６を介して外装ケース６１を回動させ、ストロボ発光部１４を収納位置に移動させる。また、図７に示すように、連動部材２９がカメラ本体３の前面側にスライドされている際には、連動レバー６５は当接突起７４により当接片７３を押圧して、ストロボ発光部１４を露呈位置に移動させる。
【００３２】
このように、連動機構２７とストロボ発光部１４との連結は、二股形状の連結部７０と、この連結部７０に係合する連結ピン７１とで簡単に行われるので、連動機構２７を本体基部４に、ストロボ発光部１４を前カバー５にそれぞれ別々に取り付けても、前カバー５を本体基部４に取り付ける際にストロボ発光部１４と連動機構２７とを容易に連結させることができる。
【００３３】
また、図９に示すように、収納位置にあるストロボ発光部１４が露呈位置に外力によって無理に回動された場合には、当接突起７４と当接片７３とが当接しないため、外装ケース６１の回動は連動レバー６５には伝達されず、連動機構２７に不要な力が加わって破損するようなことはない。更に、連動部材２９が動作しない場合には、ストロボ発光禁止スイッチ４８はオフしないので、無用なストロボ発光が行われることもない。捩じりバネ６６は、外装ケース６１と連動レバー６５との間で作用し、無理に露呈位置に回動されたストロボ発光部１４を収納位置に復帰させるので、ストロボ発光部１４の破損等を未然に防止することができる。
【００３４】
また、図１０に示すように、露呈位置にあるストロボ発光部１４が収納位置に外力によって無理に回動された際には、外装ケース６１の当接片７３が連動レバー６５の当接突起７４を押圧するため、連動レバー６５は連結ピン７１を介して連動部材２９をカメラ本体３の背面側に向けてスライドさせる。このように、ストロボ発光部１４の回動は、連動レバー６５のスライドによって吸収されるため、不要な力が加わって各部が破損するようなことはない。また、連像レバー６５のスライドによって、切替え突起４９のストロークによってストロボ発光禁止スイッチ４８がオンされるため、発光部室１６内でストロボ発光が行われることはない。更に、連動部材２９のスライドによりコイルバネ３０が伸ばされるため、ストロボ発光部１４の収納位置への無理な回動を解除すると、コイルバネ３０の付勢によってストロボ発光部１４を露呈位置に復帰させることができる。
【００３５】
なお、ストロボ発光禁止スイッチ４８が導通不良を起こしている際にストロボ発光部１４が収納位置に無理に回動された場合には、ストロボ発光部１４は発光部室１６内で発光してしまうが、発光部室１６はストロボ用レンズ１５の前に大きな空間を設けているため発熱や発煙の恐れはない。
【００３６】
次に、上記実施形態の作用について説明する。カメラ２の組立ラインでは、図１に示すように、本体基部４の固定筒１８内に直進ガイド板２２が取り付けられたレンズ鏡筒９が組み込まれ、フイルム巻き取り室２０の上部に別の製造ラインで組み立てられた連動機構２７が取り付けられる。前カバー５の発光部室１６には、更に別の製造ラインで組み立てられたストロボ発光部１４が回動軸５４を利用して回動自在に取り付けられる。
【００３７】
ストロボ発光部１４が取り付けられた前カバー５を本体基部４の前面に取り付けると、図５〜図７に示すように、ストロボ発光部１４の連動レバー６５の連結ピン７１と、連動機構２７の連動部材２９の連結部７０とが、前カバー５に形成された発光部室１６の開口５５を通して係合する。このように、ストロボ発光部１４と連動機構２７との連結は容易に行うことができるため、カメラ２の組立適性が向上する。
【００３８】
完成したカメラ２は、機能検査等を経て出荷される。カメラ２を購入したユーザーは、カメラ２にフイルムカートリッジを装填して撮影操作を行う。図２に示すように、カメラ２が不使用状態にある際には、レンズ鏡筒９はカメラ本体３内に沈胴されており、ストロボ発光部１４は、ストロボ用レンズ１５をカメラ本体３内に隠す収納位置に回動されている。電源スイッチ１０を操作してカメラ２の電源をオンすると、周知の鏡筒駆動機構が作動し、図３に示すように、レンズ鏡筒９がカメラ本体３の前面から繰り出される。
【００３９】
レンズ鏡筒９がカメラ本体３から繰り出されると、図７に示すように、レンズ鏡筒９の背後に取り付けられた直進ガイド板２２は、レンズ鏡筒９とともに撮影光軸に沿ってカメラ本体３の前面側に向かって移動する。直進ガイド板２２がカメラ本体３の前面側に向けて移動すると、直進ガイド板２２の係合片４６による係合ピン４５への押圧が解除される。係合ピン４５が一体に形成されている連動部材２９は、コイルバネ３０の付勢によってカメラ本体３の前面側に向けてスライドする。
【００４０】
連動部材２９がカメラ本体３の前面側に向けてスライドすると、連動部材２９の連結部７０に連動ピン７１が係合されている連動レバー６５は、図６に示す位置から図７に示す位置まで回動する。その際に、連動レバー６５は、当接突起７４で外装カバー６１の当接片７３を押圧し、ストロボ発光部１４を図６中において時計方向に回動させ、図７に示す露呈位置まで回動させる。
【００４１】
これにより、ストロボ発光部１４のストロボ用レンズ１５はカメラ本体３の前面と平行となる。また、連動部材２９がカメラ本体３の前面側に向けて移動すると、連動部材２９に一体に形成された切替え突起４９によるストロボ発光禁止スイッチ４８のオン状態での保持が解除されストロボ発光禁止スイッチ４８はオフする。回路基板３２に形成されたストロボ回路は、ストロボ発光禁止スイッチ４８がオフすると閉じられ、ストロボ撮影が可能となる。
【００４２】
なお、ストロボ発光部１４は、レンズ鏡筒９の繰り出しによる係合片４６の移動をきっかけとしてコイルバネ３０の付勢により露呈位置に回動される。そのため、図１０に示すように、ストロボ発光部１４が収納位置に押さえつけられている状態でカメラ２の電源をオンしても、係合片４６の移動は連動機構２７に伝達されない。これにより、ストロボ発光部１４にレンズ鏡筒９の繰り出し動作による負荷がかかって破損するようなことはない。
【００４３】
ユーザーは、カメラ本体３の背面に設けられた各種操作スイッチを操作して撮影モードやズーム倍率，撮影サイズ等を切り替える。接眼側ファインダ窓を覗いて構図を確認し、シャッタボタン１３を半押しすると測距センサにより被写体までの距離が測定され、撮影レンズ８がピント位置に移動される。また、同時に測光センサにより被写体の輝度が測定される。被写体輝度が低い場合には、回路基板３２のストロボ回路にて自動的にストロボ充電が行われる。シャッタボタン１３が深く押し込まれると、レンズ鏡筒９内に組み込まれたシャッタ機構にてシャッタレリーズが行われて写真フイルムの１コマに撮影が行われ、同時にストロボ発光部１４から被写体に向けてストロボ光が放射される。撮影済みの写真フイルムは、フイルム巻き上げ機構によってフイルム巻き取り室２０内に巻き上げられる。
【００４４】
図１０に示すように、露呈位置にあるストロボ発光部１４を無理に収納位置に回動させると、外装カバー６１の当接片７３が連動レバー６５の当接突起７４を押圧する。連動レバー６４は、連動部材２９をカメラの背面側に向けてスライドさせる。そのため、ストロボ発光部１４の収納位置への回動を解除すると、コイルバネ３０の付勢によってストロボ発光部１４は再び露呈位置に回動される。このように、レンズ鏡筒９の繰り出し動作に連動してストロボ発光部１４を露呈位置に回動させる駆動源と、無理に収納位置に回動されたストロボ発光部１４を元の露呈位置に復帰させる駆動源とに共通のコイルバネを用いるようにしたので、部品点数を削減し、ローコストにカメラ２を構成することができる。また、組立適性とともに動作信頼性をも向上することができる。なお、ストロボ発光部１４が無理に収納位置に回動されている状態では、連動部材２９の切替え突起４９はストロボ発光禁止スイッチ４８を押圧してオンさせるので、ストロボ発光は行われない。
【００４５】
また、ストロボ発光禁止スイッチ４８は、ストロボ発光部１４が収納位置付近にあることを検出してストロボ発光を禁止するようにしたので、ストロボ発光禁止スイッチ４８が導通不良を起こして収納位置での発光禁止が行えなくなっても、露呈位置でのストロボ発光は確実に行うことができ、光量不足による撮影ミスは発生しない。
【００４６】
図３に示すように、使用状態にあるカメラ２の電源スイッチ１０をオフすると、周知の鏡筒駆動機構により、レンズ鏡筒９はカメラ本体３内に沈胴される。このレンズ鏡筒９の沈胴の際に、図６に示すように、直進ガイド板２２の係合片４６は連動部材２９の連動ピン４５を押圧し、連動部材２９をコイルバネ３０の付勢に抗してカメラ本体３の背面側にスライドさせる。
【００４７】
連動部材２９がカメラ本体３の背面側に向けてスライドされると、連結部７０に連結ピン７１が係合された連動レバー６５は、図７において反時計方向に回動する。その際に、連動レバー８５は捩じりバネ６６を介してストロボ発光部１４の外装カバー６１を押圧し、ストロボ発光部１４を図６に示す収納位置に回動させる。
【００４８】
カメラ本体３の背面側にスライドされた連動部材２９は、切替え突起４９によってストロボ発光禁止スイッチ４８を押圧してオンさせているため、収納位置にある状態でストロボ発光部１４が発光することはない。また、ストロボ発光スイッチ４８の故障により、収納位置にある状態でストロボ発光部１４がストロボ発光を行っても、前カバー５に一体に形成した発光部室１６内には、ストロボ発光部１４のストロボ用レンズ１５を遮蔽する遮蔽部５６が設けられているので、カメラ本体３内にストロボ光が進入して写真フイルムに悪影響を及ぼすことはなく、発光部室１６はストロボ用レンズ１５の前面に大きな空間が設けられているため、発熱や発煙の恐れはない。
【００４９】
図９に示すように、収納位置にあるストロボ発光部１４が露呈位置に無理に回動された場合には、当接突起７４と当接片７３とが当接しないため、外装ケース６１の回動は捩じりバネ６６で吸収されるため連動レバー６５には伝達されず、連動機構２７に不要な力が加わって破損するようなことはない。更に、連動部材２９が動作しない場合には、ストロボ発光禁止スイッチ４８はオフしないので、無用なストロボ発光が行われることもない。捩じりバネ６６は、外装ケース６１と連動レバー６５との間で作用し、無理に露呈位置に回動されたストロボ発光部１４を収納位置に復帰させるので、ストロボ発光部１４の破損等を未然に防止することができる。このように、収納位置から露呈位置に無理に回動されたストロボ発光部１４を元の位置に復帰する捩じりバネを６６を、連動機構２７ではなく、ストロボ発光部１４に組み込んだので、捩じりバネ６６とコイルバネ３０との間で付勢力のバランスを取る必要がない。
【００５０】
なお、上記実施形態では、ストロボ発光部の収納位置と露呈位置との間の移動を回動としたが、スライド移動等の他の移動方法を用いてもよい。また、連動機構は、直進ガイド部材に連動して動作するようにしたが、レンズ鏡筒に連動するようにしてもよい。
【００５１】
【発明の効果】
以上説明したように、本発明のカメラでは、レンズ鏡筒の沈胴と繰り出し動作とに連動してストロボ発光部を収納位置と露呈位置との間で移動させる連動機構を設けたので、カメラの電源のオン／オフに合わせて確実にストロボ発光部を露呈位置と収納位置との間で移動させるさせることができる。また、連動機構を簡略化することができるので、組立適性が向上し、ローコスト化することができる。更に、動作信頼性も向上させることができる。また、本体基部に連動機構を取り付け、前カバーにストロボ発光部を取り付け、前カバーを本体基部に取り付ける際に、ストロボ発光部と連動機構とが連結されるようにしたので、カメラの組立適性を向上させることができ、コストダウンを行うことができる。
【００５２】
更に、ストロボ発光部を収納位置から露呈位置に移動させる際には、レンズ鏡筒の繰り出し動作をきっかけとして用い、露呈用バネの付勢力により行うようにしたので、ストロボ発光部が収納位置に押さえつけられている状態でレンズ鏡筒を繰り出させたり、収納位置にあるストロボ発光部を外力で無理に露呈位置に移動させた場合でも、ストロボ発光部や連動機構が破損することはない。また、露呈バネは、露呈位置にあるストロボ発光部を無理に収納位置に移動させた際に、ストロボ発光部を元の露呈位置に復帰させるバネとして兼用できるので、部品点数を減少してカメラをコストダウンすることができる。
【００５３】
また、収納位置にあるストロボ発光部をレンズ鏡筒の繰り出し動作を利用せずに露呈位置に移動させた際に、該ストロボ発光部を収納位置に向けて付勢する収納用バネをストロボ発光部に設けたので、この収納用バネと連動機構に組み込まれた露呈用バネとの間で付勢力のバランスをとる必要がなく、構成部品に必要な精度を低くすることができ、製造コストを低減させることができる。
【００５４】
更に、検出スイッチでストロボ発光部が収納位置付近にあることを検出してストロボ発光を禁止するようにしたので、収納位置での不要なストロボ発光を防止することができる。また、ストロボ発光の禁止は、検出スイッチが導通している際に行うようにしたので、検出スイッチが導通不良を起こして収納位置での発光禁止が行えなくなっても、露呈位置でのストロボ発光は確実に行うことができ、光量不足による撮影ミスは発生しない。
【図面の簡単な説明】
【図１】カメラ本体の構成を示す分解斜視図である。
【図２】カメラの不使用時の状態の外観を示す斜視図である。
【図３】カメラの使用時の状態の外観を示す斜視図である。
【図４】連動機構の構成を示す分解斜視図である。
【図５】カメラ本体の構成を示す正面部分断面図である。
【図６】不使用時のストロボ発光部及び連動機構の状態を示す要部断面図である。
【図７】使用時のストロボ発光部及び連動機構の状態を示す要部断面図である。
【図８】ストロボ発光部の構成を示す分解斜視図である。
【図９】強制的な露呈位置への回動時のストロボ発光部及び連動機構の状態を示す要部断面図である。
【図１０】強制的な収納位置への回動時のストロボ発光部及び連動機構の状態を示す要部断面図である。
【符号の説明】
２  カメラ
３  カメラ本体
４  本体基部
５  前カバー
９  レンズ鏡筒
１４  ストロボ発光部
１６  発光部室
１８  固定筒
２２  直進ガイド板
２７  連動機構
２８  ベース部材
２９  連動部材
３０  コイルバネ
３２  回路基板
４５  係合ピン
４６  係合片
４８  ストロボ発光禁止スイッチ
６５  連動レバー
６６  捩じりバネ
７０  連結部
７１  連結ピン
【図１】
0003703330.tif 000002
【図２】
0003703330.tif 000003
【図３】
0003703330.tif 000004
【図４】
0003703330.tif 000005
【図５】
0003703330.tif 000006
【図６】
0003703330.tif 000007
【図７】
0003703330.tif 000008
【図８】
0003703330.tif 000009
【図９】
0003703330.tif 000010
【図１０】
0003703330.tif 000011